(57)【要約】      （修正有）【課題】従来装置に比較して免震エキスパンションジョイント床部材を滑動させる機構が単純化されて破損しにくくなり、経年にも耐える免震エキスパンションジョイント床部材の滑動装置を提供する。【解決手段】エキスパンションジョイント床部材９の両側先端部にはベースプレート８上の凹部形状面の立上がり斜部に対向した逆傾斜面２４を設け、該エキスパンションジョイント床部材の両側先端部に設けた逆傾斜面に摩擦係数の少ない滑性材２６を任意間隔で突出して設け、該滑性材の表面が前記ベースプレート上の立上がり斜部に対向して設けられ、地震による建物と建物間の変形にてエキスパンションジョイント床部材の両側先端部が床面上に突出して乗り上げる際にエキスパンションジョイント床部材の両側端部に設けた逆傾斜面が金属製のベースプレートの立上がり斜部を滑動可能にする。【選択図】図４
2014202008.tif 000002
【特許請求の範囲】
【請求項１】
建物と建物との躯体間に設けられた間隙部を塞ぐための床用エキスパンションジョイントにおいて、該建物と建物との躯体間上面には一対の凹部形状面を構成し、該一対の凹部形状面には夫々金属製のベースプレートを敷設し、該金属製のベースプレート上には夫々前記凹部形状面の立上がり部分において立上がり斜部を有するエキスパンションジョイント床摺動部を構成し、該一対の凹部形状面に敷設された金属製ベースプレート上には前記間隙部を塞ぐためのエキスパンションジョイント床部材を架設し、該エキスパンションジョイント床部材の両側先端部には前記ベースプレート上の凹部形状面の立上がり斜部に対向した逆傾斜面を設け、該エキスパンションジョイント床部材の両側先端部に設けた逆傾斜面に非金属製の摩擦係数の少ない滑性材を任意間隔で突出して設け、該滑性材の表面が前記ベースプレート上の立上がり斜部に対向して設けられており地震による建物と建物間の変形が大きくエキスパンションジョイント床部材の両側先端部が床面上に突出して乗り上げる際に前記エキスパンションジョイント床部材の両側端部に設けた逆傾斜面が金属製のベースプレートの立上がり斜部を滑動可能にしていることを特徴とする免震エキスパンションジョイント床部材の滑動装置。
【請求項２】
建物と建物との躯体間に設けられた間隙部を塞ぐための床用エキスパンションジョイントにおいて、該建物と建物との躯体間上面には夫々形状の異なる凹部形状面を構成し、該片側の凹部形状面にはＬ字型金属製ベースプレートを敷設し他方の金属製ベースプレートには前記凹部形状面の立上がり部分において立上がり斜部を有するエキスパンションジョイント床摺動部を構成し、前記形状の異なる凹部形状面に敷設された金属製ベースプレート上には前記間隙部を塞ぐためのエキスパンションジョイント床部材を架設し、該架設されたエキスパンションジョイント床部材の片側はＬ字形金属製ベースプレート側で複数個のウイング用アイボルトやウイング用丁番で回動可能に固定されており、また、架設されたエキスパンションジョイント床部材の他方には前記凹部形状面の立上がり斜部に対向した逆傾斜面を設け、該エキスパンションジョイント床部材の片側に設けた逆傾斜面に非金属製の摩擦係数の少ない滑性材を任意間隔で突出して設け、該滑性材の表面が前記ベースプレート上の立上がり斜部に対向して設けられており地震による建物と建物間の変形が大きくエキスパンションジョイント床部材の片側先端部が床面上に突出して乗り上げる際に前記エキスパンションジョイント床部材の片側先端部に設けた逆傾斜面が金属製のベースプレートの立上がり斜部を滑動可能にしていることを特徴とする免震エキスパンションジョイント床部材の滑動装置。
【請求項３】
前記エキスパンションジョイント床部材の両側または片側に設けた逆傾斜面に非金属製の摩擦係数の少ない滑性材は任意間隔で突出して設け、該滑性材の表面が夫々前記ベースプレート上の立上がり斜部に対向して設けられており、また、前記エキスパンションジョイント床部の底辺部には非金属製の摩擦係数の少ない滑性材を凹部形状面に対して任意間隔で突出して設けており地震による建物と建物間の変形が大きくエキスパンションジョイント床部材の両側及び片側先端部が床面上に突出して乗り上げる際に前記エキスパンションジョイント床部材の底辺部が凹部形状面を滑動可能であり、前記両側または片側先端部に設けた逆傾斜面が金属製のベースプレートの立上がり斜部を滑動可能にしていることを特徴とする請求項１及び請求項２のいずれかに記載の免震エキスパンションジョイント床部材の滑動装置。
【請求項４】
前記エキスパンションジョイント床部材の逆傾斜面や底辺部に設けられる非金属製の摩擦係数の少ない滑性材はエキスパンションジョイント床部材の逆斜面や底辺部に固着された滑性材装着管に嵌着されていることを特徴とする請求項１乃至請求項３のいずれかに記載の免震エキスパンションジョイント床部材の滑動装置。
【請求項５】
前記エキスパンションジョイント床部材の逆傾斜面や底辺部に設けられる非金属製の摩擦係数の少ない滑性材はエキスパンションジョイント床部材の逆斜面に装着され、また、前記エキスパンションジョイント床部材の凹部形状面に敷設された金属製ベースプレート上には非金属製の摩擦係数の少ない滑性プレートを介してエキスパンションジョイント床部材が架設されていることを特徴とする請求項１及び請求項２のいずれかに記載の免震エキスパンションジョイント床部材の滑動装置。
【請求項６】
前記エキスパンションジョイント床部材の逆傾斜面に設けられる非金属製の摩擦係数の少ない滑性材はエキスパンションジョイント床部材の逆斜面にビス等の固着手段により突出して固着されていることを特徴とする請求項１及び請求項２のいずれかに記載の免震エキスパンションジョイント床部材の滑動装置。
【発明の詳細な説明】
【技術分野】
【０００１】
本発明は、免震建造物と非免震建造物との躯体間に設けられた間隙部を覆うエキスパンションジョイント床部材の滑動装置に関するものである。
【背景技術】
【０００２】
免震建造物においては、建物が地震可動時に大変形を生じることに対する建築的な対応が最重要事項である。この大変形は地盤と建物の間に生じる変形で、この場合に生じる免震建造物と非免震建造物間の相互移動に対応した間隙部（クリアランス）を確保する必要がある。
【０００３】
即ち、外溝部や非免震建物の外部から免震建物への人や車の出入りに相当する動線上において、躯体間の相互移動に対応した間隙部を確保すると同時に該間隙部を覆い免震建造物と非免震建造物間に装架され地震時の相互移動に対応できる免震エキスパンションジョイント床が必要となる。
【０００４】
そして、最近の建物は、免震化の影響で免震建造物と非免震建造物との躯体間の間隙部（クリアランス）は広がる傾向にあり、前記躯体間の間隙部を覆うための免震エキスパンションジョイント床部材は、その間隙部を覆うために幅寸法が大きくなり、大型で重量のある堅牢なものが必要となってきた。
【０００５】
斯して、免震建造物と非免震建造物間に装架されて間隙部を覆い地震時における躯体間の大きな変形に対応できることが要求されるエキスパンションジョイント床部材は、地震時の相互移動に対して円滑に追従して装架された間隙間で滑動が可能な滑動機構が必要となり、また、前記滑動機構は構造が簡単で安価に製造することができ、且つ、取付作業やメンテナンスが容易であることや、地震による可動時や揺れがおさまった時に免震建造物側においてエキスパンションジョイント床部材と、該床部材を架設する凹設部の床目地枠間との隙間を広げることなく最少寸法に維持して保全できる免震エキスパンションジョイント床部材の滑動装置の具現化が必要である。
【０００６】
而して、免震建造物と非免震建造物との躯体間のクリアランスを塞ぐ構成の免震エキスパンションジョイント床部材の滑動機構の従来例として、特開平９−１８４２０４号公報（以下、特許文献１と称する。）が開示されている。
【０００７】
特許文献１に開示された従来例では、左右の建物が地震等で揺れ動いた場合、その揺れ動きにスムーズに追従して移動し、揺れが停止した場合には元の状態に自動的に戻すことができる床用目地装置を提供するものである。
【０００８】
そして、特許文献１の発明は、目地部を介して離間された左右の建物の床部分の目地部寄りの部位に該目地部に開口するように形成された一対の凹部と、この一対の凹部にそれぞれ固定された一対の固定金具と、この一対の固定金具あるいは前記左右の建物の床部分の躯体に両端部が固定された少なくとも２個以上のパンタグラフ状の伸縮リンクと、前記一対の凹部を覆うように上部両側に左右の床面を覆うフランジを有する両側壁が傾斜面に形成された目地カバーと、この目地カバーの両側壁と接触するように前記一対の固定金具にそれぞれ所定間隔で取付けられた複数個のローラーと、前記目地カバーを常時前記ローラーと接触するように付勢する前記伸縮リンクに取付けられた付勢機構とを備えることを特徴とする床目地装置である。
【０００９】
然しながら、最近の免震エキスパンションジョイント床部材は、免震建物への人や車の出入りに利用され、且つ、免震化の影響で免震建造物と非免震建造物との躯体間の間隙部（クリアランス）は広がる傾向にあり、前記躯体間の間隙部を覆うための免震エキスパンションジョイント床部材は、その間隙部を覆うために幅寸法が大きくなり、大型で重量のある堅牢なものが必要となってきており、特許文献１の発明の如く両面壁が傾斜面に形成された目地カバーと、この目地カバーの両側壁と接触するように前記一対の固定金具にそれぞれ所定間隔で取付けられた複数個のローラーが設けられている構造では、前記複数個のローラーを軸支する回転軸が破損しやすく、経年により１箇所のローラー回転軸が破損すると並列設置されている免震エキスパンションジョイント床に軋みが生じて人や車が通る度にガタガタと騒音を発したり、所定間隔で取付けられた他のローラー回転軸も連鎖的に破損させてしまう欠点がある。
【００１０】
また、特許文献１の発明は、目地カバーの両面壁と接触するように設けられた固定金具内に回転軸を介して取付けられたローラー（第１の実施形態）や目地カバーの両面壁内面に回転軸を介して取付けられたローラー（第３の実施形態）により構成されており、前記ローラーは耐荷重や大きさを考慮して選択して複数個取付けなくてはならず免震エキスパンションジョイントの製造コストを高い物にする原因を有してしまい、また、狭い場所に取付けられるローラー機構は、地震による揺れが終息した場合の免震エキスパンションジョイントのメンテナンスにおいてローラー回転軸の軸支機構点検やローラーの交換等大きな負担を生じせしめている。
【先行技術文献】
【特許文献】
【００１１】
【特許文献１】特開平０９−１８４２０４号公報
【発明の概要】
【発明が解決しようとする課題】
【００１２】
本発明は、免震建造物と非免震建造物との躯体間に設けられた間隙部を覆うエキスパンションジョイント床部材の滑動装置を提供するものである。
【００１３】
最近の免震エキスパンションジョイント床部材は、免震建物への人や車の出入りに利用され、且つ、免震化の影響で免震建造物と非免震建造物との躯体間の間隙部（クリアランス）は広がる傾向にある。そして、躯体間の間隙部を覆うための免震エキスパンションジョイント床部材は、その間隙部を覆うために幅寸法が大きくなり、大型で重量のある堅牢なものが必要となってきており、特許文献１の発明の如く両面壁が傾斜面に形成された目地カバーと、この目地カバーの両側壁と接触するように前記一対の固定金具にそれぞれ所定間隔で取付けられた複数個のローラーが設けられている構造では、前記複数個のローラーを軸支する回転軸が破損しやすく、経年により１箇所のローラー回転軸が破損すると並列設置されている免震エキスパンションジョイント床部材に軋みが生じて人や車が通る度にガタガタと騒音を発したり、所定間隔で取付けられた他のローラー回転軸も連鎖的に破損させてしまう欠点があり、本発明では、従来装置の上記欠点を解消する。
【００１４】
また、特許文献１の発明は、目地カバーの両面壁と接触するように設けられた固定金具内に回転軸を介して取付けられたローラーや目地カバーの両面壁内面に回転軸を介して取付けられたローラーにより構成されており、前記ローラーは耐荷重や大きさを考慮して選択して複数個取付けなくてはならず免震エキスパンションジョイントの製造コストを高い物にする原因を有してしまい、また、狭い場所に取付けられるローラー機構は、地震による揺れが終息した場合の免震エキスパンションジョイントのメンテナンスにおいてローラー回転軸の軸支機構点検やローラーの交換等大きな負担を生じせしめており、本発明では、価格の高いローラー機構等を使用することなく製造コストを削減でき、また、機構を簡単にすることにより、メンテナンスを大幅に軽減できるエキスパンションジョイント床部材の滑動装置を提供するものである。
【課題を解決するための手段】
【００１５】
本発明は、課題を解決するための手段として、建物と建物との躯体間上面には一対の凹部形状面を構成し、該一対の凹部形状面には夫々金属製のベースプレートを敷設し、該金属製のベースプレート上には夫々前記凹部形状面の立上がり部分において立上がり斜部を有するエキスパンションジョイント床摺動部を構成し、該一対の凹部形状面に敷設された金属製ベースプレート上には前記間隙部を塞ぐためのエキスパンションジョイント床部材を架設し、該エキスパンションジョイント床部材の両側先端部には前記ベースプレート上の凹部形状面の立上がり斜部に対向した逆傾斜面を設け、該エキスパンションジョイント床部材の両側先端部に設けた逆傾斜面に非金属製の摩擦係数の少ない滑性材を任意間隔で突出して設け、該滑性材の表面が前記ベースプレート上の立上がり斜部に対向して設けられており地震による建物と建物間の変形が大きくエキスパンションジョイント床部材の両側先端部が床面上に突出して乗り上げる際に前記エキスパンションジョイント床部材の両側端部に設けた逆傾斜面が金属製のベースプレートの立上がり斜部を滑動可能にしている免震エキスパンションジョイント床部材の滑動装置を提供するものである。
【００１６】
また、本発明は、建物と建物との躯体間に設けられた間隙部を塞ぐための床用エキスパンションジョイントにおいて、該建物と建物との躯体間上面には夫々形状の異なる凹部形状面を構成し、該片側の凹部形状面にはＬ字型金属製ベースプレートを敷設し他方の金属製ベースプレートには前記凹部形状面の立上がり部分において立上がり斜部を有するエキスパンションジョイント床摺動部を構成し、前記形状の異なる凹部形状面に敷設された金属製ベースプレート上には前記間隙部を塞ぐためのエキスパンションジョイント床部材を架設し、該架設されたエキスパンションジョイント床部材の片側はＬ字形金属製ベースプレート側で複数個のウイング用アイボルトやウイング用丁番で回動可能に固定されており、また、架設されたエキスパンションジョイント床部材の他方には前記凹部形状面の立上がり斜部に対向した逆傾斜面を設け、該エキスパンションジョイント床部材の片側に設けた逆傾斜面に非金属製の摩擦係数の少ない滑性材を任意間隔で突出して設け、該滑性材の表面が前記ベースプレート上の立上がり斜部に対向して設けられており地震による建物と建物間の変形が大きくエキスパンションジョイント床部材の片側先端部が床面上に突出して乗り上げる際に前記エキスパンションジョイント床部材の片側先端部に設けた逆傾斜面が金属製のベースプレートの立上がり斜部を滑動可能にしている免震エキスパンションジョイント床部材の滑動装置を提供するものである。
【００１７】
更に、本発明において、前記エキスパンションジョイント床部材の両側、または片側に設けた逆傾斜面に非金属製の摩擦係数の少ない滑性材は任意間隔で突出して設け、該滑性材の表面が夫々前記ベースプレート上の立上がり斜部に対向して設けられており、また、前記エキスパンションジョイント床部の底辺部には非金属製の摩擦係数の少ない滑性材を凹部形状面に対して任意間隔で突出して設けており地震による建物と建物間の変形が大きくエキスパンションジョイント床部材の両側及び片側先端部が床面上に突出して乗り上げる際に前記エキスパンションジョイント床部材の底辺部が凹部形状面を滑動可能であり、前記両側または片側先端部に設けた逆傾斜面が金属製のベースプレートの立上がり斜部を滑動可能にしている免震エキスパンションジョイント床部材の滑動装置を提供するものである。
【００１８】
そして、本発明における前記エキスパンションジョイント床部材の逆傾斜面や底辺部に設けられる非金属製の摩擦係数の少ない滑性材は、エキスパンションジョイント床部材の逆斜面や底辺部に固着された滑性材装着管に嵌着されている。
【００１９】
また、本発明において、前記エキスパンションジョイント床部材の逆傾斜面や底辺部に設けられる非金属製の摩擦係数の少ない滑性材は、エキスパンションジョイント床部材の逆斜面に装着され、また、前記エキスパンションジョイント床部材の凹部形状面に敷設された金属製ベースプレート上には非金属製の摩擦係数の少ない滑性プレートを介してエキスパンションジョイント床部材が架設されている。
【００２０】
更に、本発明において、前記エキスパンションジョイント床部材の逆傾斜面に設けられる非金属製の摩擦係数の少ない滑性材は、エキスパンションジョイント床部材の逆斜面にビス等の固着手段により突出して固着されている。
【発明の効果】
【００２１】
斯くして、本発明は、従来装置に比較して安価な構成部材を採用して製造コストを大幅に削減することが可能である。
【００２２】
また本発明は、従来装置に比較して免震エキスパンションジョイント床部材を滑動させる機構が単純化されて破損しにくくなり、経年にも耐える免震エキスパンションジョイント床部材の滑動装置を提供することができる。
【００２３】
更に、本発明は地震による揺れが終息した場合のメンテナンスにおいて、滑性材部品の点検交換が容易であり、メンテナンス費用を大幅に削減することが可能である。
【図面の簡単な説明】
【００２４】
【図１】本発明の実施場所を説明する平面図。
【図２】図１の側断面図。
【図３】（Ａ）本発明の動作を説明する断面図で間隙部が狭くなった状態を示す。           （Ｂ）本発明の動作を説明する断面図で間隙部が広くなった状態を示す。
【図４】（Ａ）本発明の実施例１を説明する要部拡大断面図。           （Ｂ）本発明の他の実施例を説明する要部拡大断面図。（Ｃ）本発明の他の実施例を説明する要部拡大断面図。
【図５】本発明の実施例２を説明する平面図。
【図６】図５の側断面図。
【図７】（Ａ）実施例２の動作を説明する断面図で間隙部が狭くなった状態を示す。       （Ｂ）実施例２の動作を説明する断面図で間隙部が広くなった状態を示す。
【発明を実施するための形態】
【００２５】
本発明は、免震建造物と非免震建造物との躯体間に設けられた間隙部を覆うエキスパンションジョイント床部材の滑動装置に関するものである。
【００２６】
免震建造物においては、建物が地震可動時に大変形を生じることに対する建築的な対応が最重要事項である。この大変形は地盤と建物の間に生じる変形で、この場合に生じる免震建造物と非免震建造物間の相互移動に対応した間隙部（クリアランス）を確保する必要がある。
【００２７】
即ち、外溝部や非免震建物の外部から免震建物への人や車の出入りに相当する動線上において、躯体間の相互移動に対応した間隙部を確保すると同時に該間隙部を覆い免震建造物と非免震建造物間に装架され地震時の相互移動に対応できる免震エキスパンションジョイント床部材が必要となる。
【００２８】
そして、最近の建物は、免震化の影響で免震建造物と非免震建造物との躯体間の間隙部（クリアランス）は広がる傾向にあり、前記躯体間の間隙部を覆うための免震エキスパンションジョイント床部材は、その間隙部を覆うために幅寸法が大きくなり、大型で重量のある堅牢なものが必要となってきた。
【００２９】
斯して、免震建造物と非免震建造物間に装架されて間隙部を覆い地震時における躯体間の大きな変形に対応できることが要求されるエキスパンションジョイント床部材は、地震時の相互移動に対して円滑に追従して装架された間隙間で滑動が可能な滑動機構が必要となり、また、前記滑動機構は構造が簡単で安価に製造することができ、且つ、取付作業やメンテナンスが容易であることや、地震による可動時や揺れがおさまった時に免震建造物側においてエキスパンションジョイント床部材と、該床部材を架設する凹設部の床目地枠間との隙間を広げることなく最少寸法に維持して保全できる免震エキスパンションジョイント床部材の滑動装置の具現化が必要である。
【００３０】
斯くして、最近の免震エキスパンションジョイント床部材は、免震建物への人や車の出入りに利用され、且つ、免震化の影響で免震建造物と非免震建造物との躯体間の間隙部（クリアランス）は広がる傾向にある。そして、躯体間の間隙部を覆うための免震エキスパンションジョイント床部材は、その間隙部を覆うために幅寸法が大きくなり、大型で重量のある堅牢なものが必要となってきており、特許文献１の発明の如く両面壁が傾斜面に形成された目地カバーと、この目地カバーの両側壁と接触するように前記一対の固定金具にそれぞれ所定間隔で取付けられた複数個のローラーが設けられている構造では、前記複数個のローラーを軸支する回転軸が破損しやすく、経年により１箇所のローラー回転軸が破損すると並列設置されている免震エキスパンションジョイント床部材に軋みが生じて人や車が通る度にガタガタと騒音を発したり、所定間隔で取付けられた他のローラー回転軸も連鎖的に破損させてしまう欠点があり、本発明では、従来装置の上記欠点を解消するためのものである。
【００３１】
また、特許文献１の発明は、目地カバーの両面壁と接触するように設けられた固定金具内に回転軸を介して取付けられたローラーや目地カバーの両面壁内面に回転軸を介して取付けられたローラーにより構成されており、前記ローラーは耐荷重や大きさを考慮して選択して複数個取付けなくてはならず免震エキスパンションジョイントの製造コストを高い物にする原因を有してしまい、また、狭い場所に取付けられるローラー機構は、地震による揺れが終息した場合の免震エキスパンションジョイントのメンテナンスにおいてローラー回転軸の軸支機構点検やローラーの交換等大きな負担を生じせしめており、本発明では、価格の高いローラー機構等を使用することなく製造コストを削減でき、また、機構を簡単にすることにより、メンテナンスを大幅に軽減できるエキスパンションジョイント床部材の滑動装置を提供するものである。
【００３２】
斯して、本発明は、建物と建物との躯体間に設けられた間隙部を塞ぐための床用エキスパンションジョイントにおいて、該建物と建物との躯体間上面には一対の凹部形状面を構成し、該一対の凹部形状面には夫々金属製のベースプレートを敷設し、該金属製のベースプレート上には夫々前記凹部形状面の立上がり部分において立上がり斜部を有するエキスパンションジョイント床摺動部を構成し、該一対の凹部形状面に敷設された金属製ベースプレート上には前記間隙部を塞ぐためのエキスパンションジョイント床部材を架設し、該エキスパンションジョイント床部材の両側先端部には前記ベースプレート上の凹部形状面の立上がり斜部に対向した逆傾斜面を設け、該エキスパンションジョイント床部材の両側先端部に設けた逆傾斜面に非金属製の摩擦係数の少ない滑性材を任意間隔で突出して設け、該滑性材の表面が前記ベースプレート上の立上がり斜部に対向して設けられており地震による建物と建物間の変形が大きくエキスパンションジョイント床部材の両側先端部が床面上に突出して乗り上げる際に前記エキスパンションジョイント床部材の両側端部に設けた逆傾斜面が金属製のベースプレートの立上がり斜部を滑動可能にしていることが好ましい。
【００３３】
また、本発明は、建物と建物との躯体間に設けられた間隙部を塞ぐための床用エキスパンションジョイントにおいて、該建物と建物との躯体間上面には夫々形状の異なる凹部形状面を構成し、該片側の凹部形状面にはＬ字型金属製ベースプレートを敷設し他方の金属製ベースプレートには前記凹部形状面の立上がり部分において立上がり斜部を有するエキスパンションジョイント床摺動部を構成し、前記形状の異なる凹部形状面に敷設された金属製ベースプレート上には前記間隙部を塞ぐためのエキスパンションジョイント床部材を架設し、該架設されたエキスパンションジョイント床部材の片側はＬ字形金属製ベースプレート側で複数個のウイング用アイボルトやウイング用丁番で回動可能に固定されており、また、架設されたエキスパンションジョイント床部材の他方には前記凹部形状面の立上がり斜部に対向した逆傾斜面を設け、該エキスパンションジョイント床部材の片側に設けた逆傾斜面に非金属製の摩擦係数の少ない滑性材を任意間隔で突出して設け、該滑性材の表面が前記ベースプレート上の立上がり斜部に対向して設けられており地震による建物と建物間の変形が大きくエキスパンションジョイント床部材の片側先端部が床面上に突出して乗り上げる際に前記エキスパンションジョイント床部材の片側先端部に設けた逆傾斜面が金属製のベースプレートの立上がり斜部を滑動可能にしていることが好ましい。
【００３４】
更に、本発明は、前記エキスパンションジョイント床部材の両側または片側に設けた逆傾斜面に非金属製の摩擦係数の少ない滑性材は任意間隔で突出して設け、該滑性材の表面が夫々前記ベースプレート上の立上がり斜部に対向して設けられており、また、前記エキスパンションジョイント床部の底辺部には非金属製の摩擦係数の少ない滑性材を凹部形状面に対して任意間隔で突出して設けており地震による建物と建物間の変形が大きくエキスパンションジョイント床部材の両側及び片側先端部が床面上に突出して乗り上げる際に前記エキスパンションジョイント床部材の底辺部が凹部形状面を滑動可能であり、前記両側または片側先端部に設けた逆傾斜面が金属製のベースプレートの立上がり斜部を滑動可能にしていることが好ましい。
【００３５】
そして、本発明は、前記エキスパンションジョイント床部材の逆傾斜面や底辺部に設けられる非金属製の摩擦係数の少ない滑性材はエキスパンションジョイント床部材の逆斜面や底辺部に固着された滑性材装着管に嵌着されている免震エキスパンションジョイント床部材の滑動装置であることが好ましい。
【００３６】
また、本発明は、前記エキスパンションジョイント床部材の逆傾斜面や底辺部に設けられる非金属製の摩擦係数の少ない滑性材はエキスパンションジョイント床部材の逆斜面に装着され、また、前記エキスパンションジョイント床部材の凹部形状面に敷設された金属製ベースプレート上には非金属製の摩擦係数の少ない滑性プレートを介してエキスパンションジョイント床部材が架設されている免震エキスパンションジョイント床部材の滑動装置であることが好ましい。
【００３７】
更に、本発明は、前記エキスパンションジョイント床部材の逆傾斜面に設けられる非金属製の摩擦係数の少ない滑性材はエキスパンションジョイント床部材の逆斜面にビス等の固着手段により突出して固着されている免震エキスパンションジョイント床部材の滑動装置であることが好ましい。
【００３８】
斯くして、上記構成により本発明は、従来装置に比較して安価な構成部材を採用して製造コストを大幅に削減することが可能である。
【００３９】
また本発明は、従来装置に比較して免震エキスパンションジョイント床を滑動させる機構が単純化されて破損しにくくなり、経年にも耐える免震エキスパンションジョイント床部材の滑動装置を提供することができる。
【００４０】
更に、本発明は地震による揺れが終息した場合のメンテナンスにおいて、滑性材部品の点検交換が容易であり、メンテナンス費用を大幅に削減することが可能である。
【実施例１】
【００４１】
本発明の実施例１を図１乃至図４（Ａ）に基づいて説明する。図１は、本発明を実施する場所を説明する平面図であり、図２は、図１の側断面図を示している。また、図３（Ａ）（Ｂ）は実施例１の動作を説明する断面図で、図３（Ａ）は、実施例１の動作説明断面図で間隙部が狭くなった状態を示しており、図３（Ｂ）は同様に間隙部が広くなった状態説明図であり、図４（Ａ）は実施例１の要部拡大断面図を示している。
【００４２】
図１乃至図４（Ａ）において、１は免震建造物（以下、建物１と称する）、２は非免震建造物（以下、建物２と称する）、Ｃは建物１と建物２との躯体３、４間に設けられた間隙部であり、躯体３、４間の上面には凹設された凹部形状面５と凹部形状面６が設けられており、該凹部形状面５と凹部形状面６には夫々金属製のベースプレート７、８が敷設されており、エキスパンションジョイント床部材９、９ａ、９ｂ、９ｃ・・・は前記凹部形状面５と凹部形状面６間に夫々ベースプレート７、８を介して架設され、前記間隙部Ｃを塞ぐように載置され免震エキスパンションジョイント１０を構成している。
【００４３】
尚、図１において１１ａ、１１ｂ、１１ｃは夫々のエキスパンションジョイント床部材９、９ａ、９ｂ、９ｃ・・・に設けられた免震エキスパンションジョイント床部材の定位置維持機構部であり、１２ａ、１２ｂは前記エキスパンションジョイント床部材の先端部に回動自在に取付けられた保護カバー材、１３ａ、１３ｂは床面を示している。
【００４４】
次に、図２において本発明の床用エキスパンションジョイントを説明する。図２において、前記エキスパンションジョイント床部材９の構成は、スチールやステンレスからなる金属製の床目地枠材１４、側面枠材１５を外周部に有する床箱１６を形成しており、該床箱１６の底部には補強材１７が装着されており、該補強材１７の表面にコンクリートモルタルを充填して石材やタイル等の化粧材１８を貼着してエキスパンションジョイント床部材９を構成している。尚、図２において１９は前記エキスパンションジョイント床部材９の底辺部を示している。
【００４５】
また、図２において、建物１と建物２との躯体３、４間の上面には一対の凹部形状面５、６を構成し、該一対の凹部形状面５、６には夫々金属製のベースプレート７、８を敷設し、該金属製のベースプレート７、８上には夫々前記凹部形状面５、６の立上がり部分において立上がり斜部２０、２１を有するエキスパンションジョイント床摺動部２２、２３を構成し、該一対の凹部形状面５、６に敷設された金属製ベースプレート７、８上には前記間隙部Ｃを塞ぐためのエキスパンションジョイント床部材９を架設している。
【００４６】
そして、前記エキスパンションジョイント床部材９の両側先端部には前記ベースプレート７、８上の凹部形状面５、６が立上がり斜部２０、２１に対向した逆傾斜面２４、２５を設け、該エキスパンションジョイント床部材９の両側先端部に設けた逆傾斜面２４、２５に非金属製の摩擦係数の少ない滑性材２６、２７を夫々任意間隔で突出して設け、該滑性材２６、２７の表面が前記ベースプレート７、８上の立上がり斜部２０、２１に対向して設けられている。
【００４７】
斯くして、本発明は、地震により建物１と建物２間の変形が大きく例えば間隙部Ｃが狭まった場合には図３（Ａ）に示す如くエキスパンションジョイント床部材９の両側先端部が床面１３ａ、１３ｂ上に突出して乗り上げる動作をするものであり、前記エキスパンションジョイント床部材９の両側端部に設けた逆傾斜面２４が金属製のベースプレートの立上がり斜部２０、２１を滑動可能にしている免震エキスパンションジョイント床部材９の滑動装置である。尚、図３（Ｂ）は、図３（Ａ）とは反対に地震により建物１と建物２間の変形が大きく間隙部Ｃが広がった場合を示しており、大きな地震の場合には、建物１と建物２間の動きは静止状態を示す図２の状態より図３（Ａ）と図３（Ｂ）の状態を繰り返して図２の静止状態に戻るか、図２の静止状態に近い状態に戻る動きをするので、地震可動時にエキスパンションジョイント床部材９の金属摩擦音が軽減できる他、本発明の目的である従来装置に比較して安価な構成部材を採用して製造コストを大幅に削減することが可能である。
【００４８】
また、図４（Ａ）（Ｂ）（Ｃ）は本発明の上記実施例１において、エキスパンションジョイント床部材９の各種滑動機構の具体例を片側のみ拡大して表示し説明している。図４（Ａ）において、前記エキスパンションジョイント床部材９の逆傾斜面２４に設けられる非金属製の摩擦係数の少ない滑性材２６は、エキスパンションジョイント床部材９の逆傾斜面２４に固着された滑性材装着管２８に嵌着されている構成の免震エキスパンションジョイント床部材９の滑動装置である。尚、前記滑性材装着管２８は丸パイプ形状または角パイプ形状でもよく、該滑性材装着管２８に嵌着される滑性材２６は容易にその形状に合わせることが可能である。
【００４９】
そして、図４（Ｂ）において、前記エキスパンションジョイント床部材９の逆傾斜面２４に設けられる非金属製の摩擦係数の少ない滑性材２６は、エキスパンションジョイント床部材９の逆傾斜面２４に装着され、また、前記エキスパンションジョイント床部材９の凹部形状面６に敷設された金属製ベースプレート８上には非金属製の摩擦係数の少ない滑性プレート２９を介してエキスパンションジョイント床部材９が架設されている構成の免震エキスパンションジョイント床部材の滑動装置である。図４（Ｂ）の実施例では、地震可動時における金属摩擦音が軽減できるほか、地震可動時おいて凹部形状面６に敷設されたベースプレート８とエキスパンションジョイント床部材９の間で金属摩擦による破損や傷の発生が防止できる。
【００５０】
更に、図４（Ｃ）において、前記エキスパンションジョイント床部材９の逆傾斜面２４に設けられる非金属製の摩擦係数の少ない滑性板３０はエキスパンションジョイント床部材９の逆傾斜面２４にビス３１等の固着手段により突出して固着されている構成の免震エキスパンションジョイント床部材の滑動装置である。
【００５１】
更にまた、実施例１の他の例を図２により説明すると、前記エキスパンションジョイント床部材９の両側、または片側に設けた逆傾斜面２４、２５に非金属製の摩擦係数の少ない滑性材２６、２７は任意間隔で突出して設け、該滑性材２６、２７の表面が夫々前記ベースプレート７、８上の立上がり斜部２０、２１に対向して設けられており、また、前記エキスパンションジョイント床部９の底辺部１９には、図２想像線により示す如く非金属製の摩擦係数の少ない滑性材２６ａ、２７ａを凹部形状面に対して任意間隔で突出して設けており地震による建物と建物間の変形が大きくエキスパンションジョイント床部材９の両側及び片側先端部が床面上に突出して乗り上げる際に前記エキスパンションジョイント床部材９の底辺部１９が凹部形状面５、６を滑動可能であり、前記両側または片側先端部に設けた逆傾斜面２４、２５が金属製のベースプレート７、８の立上がり斜部を滑動可能にした免震エキスパンションジョイント床部材の滑動装置を提供することも可能である。
【００５２】
斯くして、上記構成により本発明は、従来装置に比較して安価な構成部材を採用して製造コストを大幅に削減することが可能である。
【００５３】
また本発明は、従来装置に比較して免震エキスパンションジョイント床を滑動させる機構が単純化されて破損しにくくなり、経年にも耐える免震エキスパンションジョイント床部材の滑動装置を提供することができる。
【００５４】
更に、本発明は地震による揺れが終息した場合のメンテナンスにおいて、滑性材部品の点検交換が容易であり、メンテナンス費用を大幅に削減することが可能である。
【実施例２】
【００５５】
本発明の実施例２を図５乃至図７（Ａ）（Ｂ）に基づいて説明する。図５は、本発明を実施する場所を説明する平面図であり、図６は、図５の側断面図を示している。また、図７（Ａ）（Ｂ）は実施例２の動作を説明する断面図で、図７（Ａ）は、実施例２の動作説明断面図で間隙部が狭くなった状態を示しており、図７（Ｂ）は同様に間隙部が広くなった状態説明図である。
【００５６】
図５乃至図７（Ａ）において、１は免震建造物（以下、建物１と称する）、２は非免震建造物（以下、建物２と称する）、Ｃは建物１と建物２との躯体３、４間に設けられた間隙部であり、躯体３、４間の上面には凹設された凹部形状面５と凹部形状面６が設けられており、該凹部形状面５と凹部形状面６には夫々金属製のベースプレート３２、３３が敷設されており、エキスパンションジョイント床部材９、９ａ、９ｂ、９ｃ・・・は前記凹部形状面５と凹部形状面６間に夫々ベースプレート３２、３３を介して架設され、前記間隙部Ｃを塞ぐように載置され免震エキスパンションジョイント１０を構成している。
【００５７】
尚、図５において１１ａ、１１ｂ、１１ｃ・・は夫々のエキスパンションジョイント床部材９、９ａ、９ｂ、９ｃ・・・に設けられた免震エキスパンションジョイント床部材９の定位置維持機構部であり、１２ａは前記エキスパンションジョイント床部材の先端部に回動自在に取付けられた保護カバー材、１３ａ、１３ｂは床面を示している。
【００５８】
次に、図６において本発明の床用エキスパンションジョイント１０を説明する。図６において、前記エキスパンションジョイント床部材９の構成は、スチールやステンレスからなる金属製の床目地枠材１４、側面枠材１５を外周部に有する床箱１６を形成しており、該床箱１６の底部には補強材１７が装着されており、該補強材１７の表面にコンクリートモルタルを充填して石材やタイル等の化粧材１８を貼着してエキスパンションジョイント床部材９を構成している。
【００５９】
また、前記建物１と建物２との躯体３、４間の上面には夫々形状の異なる凹部形状面５と凹部形状面６を構成し、該片側の凹部形状面５にはＬ字型金属製ベースプレート３２を敷設し他方の金属製ベースプレート３３には前記凹部形状面６の立上がり部分において立上がり斜部２０を有するエキスパンションジョイント床摺動部２２を構成し、前記形状の異なる凹部形状面５、６間に敷設された金属製ベースプレート３２、３３上には前記間隙部Ｃを塞ぐためのエキスパンションジョイント床部材９を架設している。
【００６０】
そして、架設されたエキスパンションジョイント床部材９の片側はＬ字形金属製ベースプレート３２側で複数個のウイング用ボルト３４ａ、３４ｂ、３４ｃ・・・やウイング用丁番で回動可能に固定されており、また、架設されたエキスパンションジョイント床部材９の他方には前記凹部形状面の立上がり斜部２０に対向した逆傾斜面２４を設け、該エキスパンションジョイント床部材９の片側に設けた逆傾斜面２４に非金属製の摩擦係数の少ない滑性材２６を任意間隔で突出して設け、該滑性材２６の表面が前記ベースプレート３３上の立上がり斜部２０に対向して設けられた構成を有している。
【００６１】
従って、実施例２は、地震により建物１と建物２間の変形が大きく例えば間隙部Ｃが狭まった場合には、図７（Ａ）に示す如くエキスパンションジョイント床部材９の両側先端部が床面１３ａ上に突出して乗り上げる動作をするものであり、前記エキスパンションジョイント床部材９の片側先端部に設けた逆傾斜面２４が金属製のベースプレート３３の立上がり斜部２０を滑動可能にしている免震エキスパンションジョイント床部材の滑動装置である。尚、図７（Ｂ）は、図７（Ａ）とは反対に地震により建物１と建物２間の変形が大きく間隙部Ｃが広がった場合を示しており、大きな地震の場合には、建物１と建物２間の動きは静止状態を示す図６の状態より図７（Ａ）と図７（Ｂ）の状態を繰り返して図６の静止状態に戻るか、図６の静止状態に近い状態に戻る動きをするので、地震可動時にエキスパンションジョイント床部材９の金属摩擦音が軽減できる他、本発明の目的である従来装置に比較して安価な構成部材を採用して製造コストを大幅に削減することが可能である。
【００６２】
また、図４（Ａ）（Ｂ）（Ｃ）は本発明の上記実施例２において、エキスパンションジョイント床部材９の各種滑動機構の具体例を拡大して表示し説明している。図４（Ａ）において、前記エキスパンションジョイント床部材９の逆傾斜面２４に設けられる非金属製の摩擦係数の少ない滑性材２６は、エキスパンションジョイント床部材９の逆斜面２４に固着された滑性材装着管２８に嵌着されている構成の免震エキスパンションジョイント床部材の滑動装置である。尚、前記滑性材装着管２８は丸パイプ形状または角パイプ形状でもよく、該滑性材装着管２８に嵌着される滑性材２６は容易にその形状に合わせることが可能である。
【００６３】
そして、図４（Ｂ）において、前記エキスパンションジョイント床部材９の逆傾斜面２４に設けられる非金属製の摩擦係数の少ない滑性材２６は、エキスパンションジョイント床部材９の逆斜面２４に装着され、また、前記エキスパンションジョイント床部材９の凹部形状面６に敷設された金属製ベースプレート８上には非金属製の摩擦係数の少ない滑性プレート２９を介してエキスパンションジョイント床部材９が架設されている構成の免震エキスパンションジョイント床部材の滑動装置である。図４（Ｂ）の実施例では、地震可動時における金属摩擦音が軽減できるほか、地震可動時おいて凹部形状面６に敷設されたベースプレート８とエキスパンションジョイント床部材９の間で金属摩擦による破損や傷の発生が防止できる。
【００６４】
更に、図４（Ｃ）において、前記エキスパンションジョイント床部材９の逆傾斜面２４に設けられる非金属製の摩擦係数の少ない滑性材３０はエキスパンションジョイント床部材９の逆斜面２４にビス３１等の固着手段により突出して固着されている構成の免震エキスパンションジョイント床部材の滑動装置である。
【００６５】
斯くして、上記構成により本発明は、従来装置に比較して安価な構成部材を採用して製造コストを大幅に削減することが可能である。
【００６６】
また本発明は、従来装置に比較して免震エキスパンションジョイント床を滑動させる機構が単純化されて破損しにくくなり、経年にも耐える免震エキスパンションジョイント床部材の滑動装置を提供することができる。
【００６７】
更に、本発明は地震による揺れが終息した場合のメンテナンスにおいて、滑性材部品の点検交換が容易であり、メンテナンス費用を大幅に削減することが可能である。
【符号の説明】
【００６８】
１  建物（免震建造物側）
２  建物（非免震建造物側）
３  躯体
４  躯体
５  凹部形状面
６  凹部形状面
７  ベースプレート
８  ベースプレート
９、９ａ、９ｂ、９ｃ・・・  エキスパンションジョイント床部材
１０  免震エキスパンションジョイント
１１ａ、１１ｂ、１１ｃ・・・  定位置維持機構部
１２ａ、１２ｂ  保護カバー材
１３ａ、１３ｂ  床面
１４  床目地枠材
１５  側面枠材
１６  床箱
１７  補強材
１８  化粧材
１９  エキスパンションジョイント床の底辺部
２０  立上がり斜部
２１  立上がり斜部
２２  エキスパンションジョイント床摺動部
２３  エキスパンションジョイント床摺動部
２４  逆傾斜面
２５  逆傾斜面
２６、２６ａ  滑性材
２７、２７ａ  滑性材
２８  滑性材装着管
２９  滑性プレート
３０  滑性板
３１  ビス
３２  ベースプレート
３３  ベースプレート
３４ａ、３４ｂ、３４ｃ、・・・ウイング用ボルト
Ｃ  間隙部（クリアランス）
【図１】
2014202008.tif 000003
【図２】
2014202008.tif 000004
【図３】
2014202008.tif 000005
【図４】
2014202008.tif 000006
【図５】
2014202008.tif 000007
【図６】
2014202008.tif 000008
【図７】
2014202008.tif 000009
【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
建物と建物との躯体間に設けられた間隙部を塞ぐための床用エキスパンションジョイントにおいて、該建物と建物との躯体間上面には一対の凹部形状面を構成し、該一対の凹部形状面には夫々金属製のベースプレートを敷設し、該金属製のベースプレート上には夫々前記凹部形状面の立上がり部分において立上がり斜部を有するエキスパンションジョイント床摺動部を構成し、該一対の凹部形状面に敷設された金属製ベースプレート上には前記間隙部を塞ぐためのエキスパンションジョイント床部材を架設し、該エキスパンションジョイント床部材の両側先端部には前記ベースプレート上の凹部形状面の立上がり斜部に対向した逆傾斜面を設け、該エキスパンションジョイント床部材の両側先端部に設けた逆傾斜面に非金属製の摩擦係数の少ない滑性材を滑性材装着管に嵌着して任意間隔で突出して設け、該滑性材の表面が前記ベースプレート上の立上がり斜部に対向して設けられており地震による建物と建物間の変形が大きくエキスパンションジョイント床部材の両側先端部が床面上に突出して乗り上げる際に前記エキスパンションジョイント床部材の両側端部に設けた逆傾斜面が金属製のベースプレートの立上がり斜部を滑動可能にしていることを特徴とする免震エキスパンションジョイント床部材の滑動装置。
【請求項２】
建物と建物との躯体間に設けられた間隙部を塞ぐための床用エキスパンションジョイントにおいて、該建物と建物との躯体間上面には夫々形状の異なる凹部形状面を構成し、該片側の凹部形状面にはＬ字型金属製ベースプレートを敷設し他方の金属製ベースプレートには前記凹部形状面の立上がり部分において立上がり斜部を有するエキスパンションジョイント床摺動部を構成し、前記形状の異なる凹部形状面に敷設された金属製ベースプレート上には前記間隙部を塞ぐためのエキスパンションジョイント床部材を架設し、該架設されたエキスパンションジョイント床部材の片側はＬ字形金属製ベースプレート側で複数個のウイング用アイボルトやウイング用丁番で回動可能に固定されており、また、架設されたエキスパンションジョイント床部材の他方には前記凹部形状面の立上がり斜部に対向した逆傾斜面を設け、該エキスパンションジョイント床部材の片側に設けた逆傾斜面に非金属製の摩擦係数の少ない滑性材を滑性材装着管に嵌着して任意間隔で突出して設け、該滑性材の表面が前記ベースプレート上の立上がり斜部に対向して設けられており地震による建物と建物間の変形が大きくエキスパンションジョイント床部材の片側先端部が床面上に突出して乗り上げる際に前記エキスパンションジョイント床部材の片側先端部に設けた逆傾斜面が金属製のベースプレートの立上がり斜部を滑動可能にしていることを特徴とする免震エキスパンションジョイント床部材の滑動装置。
【請求項３】
前記エキスパンションジョイント床部材の両側または片側に設けた逆傾斜面に非金属製の摩擦係数の少ない滑性材を滑性材装着管に嵌着して任意間隔で突出して設け、該滑性材の表面が夫々前記ベースプレート上の立上がり斜部に対向して設けられており、また、前記エキスパンションジョイント床部の底辺部には非金属製の摩擦係数の少ない滑性材を凹部形状面に対して任意間隔で突出して設けており地震による建物と建物間の変形が大きくエキスパンションジョイント床部材の両側及び片側先端部が床面上に突出して乗り上げる際に前記エキスパンションジョイント床部材の底辺部が凹部形状面を滑動可能であり、前記両側または片側先端部に設けた逆傾斜面が金属製のベースプレートの立上がり斜部を滑動可能にしていることを特徴とする請求項１または請求項２のいずれかに記載の免震エキスパンションジョイント床部材の滑動装置。
【請求項４】
前記エキスパンションジョイント床部材の逆傾斜面やエキスパンションジョイント床部材の底辺部に設けられる非金属製の摩擦係数の少ない滑性材はエキスパンションジョイント床部材の逆傾斜面やエキスパンションジョイント床部材の底辺部に固着された滑性材装着管に嵌着されていることを特徴とする請求項１乃至請求項３のいずれかに記載の免震エキスパンションジョイント床部材の滑動装置。
【請求項５】
前記エキスパンションジョイント床部材の逆傾斜面に設けられる非金属製の摩擦係数の少ない滑性材はエキスパンションジョイント床部材の逆傾斜面にビス等の固着手段により突出して固着されていることを特徴とする請求項１または請求項２のいずれかに記載の免震エキスパンションジョイント床部材の滑動装置。
【手続補正２】
【補正対象書類名】明細書
【補正対象項目名】００１８
【補正方法】変更
【補正の内容】
【００１８】
そして、本発明における前記エキスパンションジョイント床部材の逆傾斜面や底辺部に設けられる非金属製の摩擦係数の少ない滑性材は、エキスパンションジョイント床部材の逆傾斜面や底辺部に固着された滑性材装着管に嵌着されている。
【手続補正３】
【補正対象書類名】明細書
【補正対象項目名】００１９
【補正方法】変更
【補正の内容】
【００１９】
また、本発明において、前記エキスパンションジョイント床部材の逆傾斜面や底辺部に設けられる非金属製の摩擦係数の少ない滑性材は、エキスパンションジョイント床部材の逆傾斜面に装着され、また、前記エキスパンションジョイント床部材の凹部形状面に敷設された金属製ベースプレート上には非金属製の摩擦係数の少ない滑性プレートを介してエキスパンションジョイント床部材が架設されている。
【手続補正４】
【補正対象書類名】明細書
【補正対象項目名】００２０
【補正方法】変更
【補正の内容】
【００２０】
更に、本発明において、前記エキスパンションジョイント床部材の逆傾斜面に設けられる非金属製の摩擦係数の少ない滑性材は、エキスパンションジョイント床部材の逆傾斜面にビス等の固着手段により突出して固着されている。
【手続補正５】
【補正対象書類名】明細書
【補正対象項目名】００３５
【補正方法】変更
【補正の内容】
【００３５】
そして、本発明は、前記エキスパンションジョイント床部材の逆傾斜面や底辺部に設けられる非金属製の摩擦係数の少ない滑性材はエキスパンションジョイント床部材の逆傾斜面や底辺部に固着された滑性材装着管に嵌着されている免震エキスパンションジョイント床部材の滑動装置であることが好ましい。
【手続補正６】
【補正対象書類名】明細書
【補正対象項目名】００３６
【補正方法】変更
【補正の内容】
【００３６】
また、本発明は、前記エキスパンションジョイント床部材の逆傾斜面や底辺部に設けられる非金属製の摩擦係数の少ない滑性材はエキスパンションジョイント床部材の逆傾斜面に装着され、また、前記エキスパンションジョイント床部材の凹部形状面に敷設された金属製ベースプレート上には非金属製の摩擦係数の少ない滑性プレートを介してエキスパンションジョイント床部材が架設されている免震エキスパンションジョイント床部材の滑動装置であることが好ましい。
【手続補正７】
【補正対象書類名】明細書
【補正対象項目名】００３７
【補正方法】変更
【補正の内容】
【００３７】
更に、本発明は、前記エキスパンションジョイント床部材の逆傾斜面に設けられる非金属製の摩擦係数の少ない滑性材はエキスパンションジョイント床部材の逆傾斜面にビス等の固着手段により突出して固着されている免震エキスパンションジョイント床部材の滑動装置であることが好ましい。
【手続補正８】
【補正対象書類名】明細書
【補正対象項目名】００６３
【補正方法】変更
【補正の内容】
【００６３】
そして、図４（Ｂ）において、前記エキスパンションジョイント床部材９の逆傾斜面２４に設けられる非金属製の摩擦係数の少ない滑性材２６は、エキスパンションジョイント床部材９の逆傾斜面２４に装着され、また、前記エキスパンションジョイント床部材９の凹部形状面６に敷設された金属製ベースプレート８上には非金属製の摩擦係数の少ない滑性プレート２９を介してエキスパンションジョイント床部材９が架設されている構成の免震エキスパンションジョイント床部材の滑動装置である。図４（Ｂ）の実施例では、地震可動時における金属摩擦音が軽減できるほか、地震可動時おいて凹部形状面６に敷設されたベースプレート８とエキスパンションジョイント床部材９の間で金属摩擦による破損や傷の発生が防止できる。
【手続補正９】
【補正対象書類名】明細書
【補正対象項目名】００６４
【補正方法】変更
【補正の内容】
【００６４】
更に、図４（Ｃ）において、前記エキスパンションジョイント床部材９の逆傾斜面２４に設けられる非金属製の摩擦係数の少ない滑性材３０はエキスパンションジョイント床部材９の逆傾斜面２４にビス３１等の固着手段により突出して固着されている構成の免震エキスパンションジョイント床部材の滑動装置である。